(57)【要約】【課題】フロント部の両側に折畳み出来るように取付けたツルが、メガネを掛ける際に開いた状態から、バネ力の作用下においてさらに外方向へ僅かに押し開くことが出来るツル連結構造であって、スムーズな開閉操作が出来ることは勿論のこと、構造が簡単で分解も可能であって、修理メンテナンスが容易に行うことが出来るツル連結構造の提供。【解決手段】フロント部のヨロイ８と連結する継手片６を有す内部材３と該内部材３と所定の間隔をおいて平行に取付けた外部材４との間に形成した空間にツル１を挟持している。そしてツル１に設けた長穴１２，１３には内外部材３，４を組み付けるスペーサー１０，１０が嵌り、又内外部材３，４とツル間にはベアリングボール１５，１５・・を介在し、上記長穴１３にはコイルバネ１６を嵌めてツル１を押し開く際に圧縮変形するようにしている。【選択図】        図２
2004354470.tif 000002
【特許請求の範囲】
【請求項１】
フロント部の両側に折畳み出来るように取付けたツルが、メガネを掛ける際に開いた状態から、バネ力の作用下においてさらに外方向へ僅かに押し開くことが出来るツル連結構造において、フロント部のヨロイと連結する継手片を有す内部材と該内部材と所定の間隔をおいて平行に取付けた外部材との間に形成した空間にツルを挟持し、ツルに設けた長穴には内外部材を組み付けるスペーサーが嵌り、又内外部材とツル間にはベアリングボールを介在し、そして、上記長穴にはコイルバネを嵌めてツルを押し開く際に圧縮変形するようにしたことを特徴とするメガネフレームのツル連結構造。
【請求項２】
フロント部の両側に折畳み出来るように取付けたツルが、メガネを掛ける際に開いた状態から、バネ力の作用下においてさらに外方向へ僅かに押し開くことが出来るツル連結構造において、フロント部のヨロイと連結する継手片を有して湾曲した内部材と該内部材と所定の間隔をおいて平行に取付けて湾曲した外部材との間に形成した空間に湾曲したツルを挟持し、ツルに設けた長穴には湾曲した内外部材を組み付けるスペーサーが嵌り、又湾曲した内外部材と湾曲したツル間にはベアリングボールを介在し、そして、上記長穴にはコイルバネを嵌めてツルを押し開く際に圧縮変形するようにしたことを特徴とするメガネフレームのツル連結構造。
【請求項３】
ツルを開いたときにツル端はフロント部のヨロイ端に当接し、コイルバネの一端は長穴の一方端面に当てると共にコイルバネの他端はスペーサーに当接した請求項１、又は請求項２記載のメガネフレームのツル連結構造。
【請求項４】
外部材又は内部材の表面に装飾を施した請求項１、請求項２、又は請求項３記載のメガネフレームのツル連結構造。
【発明の詳細な説明】
【０００１】
【発明の属する技術分野】
本発明はメガネフレームのツルを折畳み可能に連結すると共に、開いた状態からはバネ力が付勢されて外方向へ僅かに開くことが出来るようにしたメガネフレームのツル連結構造に関するものである。
【０００２】
【従来の技術】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図７には最も基本的なバネ蝶番と称される継手構造を示している。すなわち、該バネ蝶番の基本的な考えは、ヨロイ（イ）には固定蝶片（ロ）をロウ付け固定し、他方の蝶片を摺動蝶片（ハ）として一定距離の摺動を許すことによって外方向への開きをツル（ニ）に与えることが出来る。
【０００５】
ツル（ニ）にはガイド溝が形成され、摺動蝶片（ハ）はガイド溝を案内として摺動する訳であるが、上記摺動蝶片（ハ）の内部空洞にはコイルバネ（ホ）が収まっていて、ツル（ニ）を外ヘ開く際には摺動蝶片（ハ）が固定蝶片（ロ）側へ引張られて圧縮される。該コイルバネ（ホ）は摺動蝶片（ハ）の内部空洞入口に設けられてツル（ニ）の溝穴（ヘ）に係止したツメ（ト）に当たり、該ツメ（ト）はストッパーとして機能している。その結果、コイルバネ（ホ）の復元力がツル（ニ）に作用して、該ツル（ニ）を元の位置に戻そうとする。
【０００６】
ところで、上記摺動蝶片（ハ）にコイルバネ（ホ）を内臓した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片（ハ）の内部空洞にコイルバネ（ホ）と芯金を押し込んでツメ（ト）に係止するならば、該ツメ（ト）並びにコイルバネ（ホ）を取り外すことが出来ない。
【０００７】
すなわち、ツメ（ト）は摺動蝶片（ハ）のガイドに拘束された状態でツメ（ト）の係止片（チ）が溝穴（ヘ）に嵌入し、芯金の頭（リ）はバネ力をもってツメ（ト）に当接し、係止片（チ）を溝穴（ヘ）へ押し込む力が働くことになる。したがって、このツメ（ト）を摺動蝶片（ハ）から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に、組み付けが面倒であると共に修理が容易でない。上記図７に示すバネ蝶番を取付ける場合には、ツル（ニ）には摺動蝶片（ハ）が摺動するガイドを設ける必要があり、そしてコイルバネ（ホ）及び芯金を挿入し、ツメ（ト）を嵌めなくてはならず、一般的な蝶番をロウ付けして取付けるように簡単ではない。
【０００９】
【発明が解決しようとする課題】
このように、バネ蝶番としての機能を備えたツル連結構造には上記のごとき問題がある。本発明が解決しようとする課題はこの問題点であって、スムーズな開閉操作が出来ることは勿論のこと、構造が簡単で分解も可能であって、修理メンテナンスが容易に行うことが出来るツル連結構造を提供する。
【００１０】
【課題を解決する為の手段】
本発明に係るツル連結構造は、内部材と外部材の間にスペーサーを介在して平行に連結し、この内外部材間には空間を設けている。そして、この空間にツルを嵌め、内部材とツル間及び外部材とツル間にはベアリングボールを介在することで、ツルは内外部材に挟まれて摺動可能となっている。
【００１１】
ツルには長穴が貫通して形成されていて、この長穴に内外部材を連結しているスペーサーが嵌ることで、ツルは外れることなく摺動可能となっている。そして、ツルに形成した長穴にはコイルバネを内装し、ツルが摺動するならばコイルバネは圧縮変形することが出来る。上記内部材及び外部材は一般にはストレート形状であるが、時には所定の曲率で湾曲した湾曲部材として形成することも出来る。そして、湾曲した内外部材に挟まれてスライドするツルの湾曲している。
【００１２】
ところで、内部材はメガネフレームのフロント部側と継手部を介して連結していて、ツル基端はフロント部のヨロイ先端に当接している。そこで、ツルを外方向へ押し開く場合、内部材は継手部を中心として回動し、その結果、ツルは後方へ押し戻されてコイルバネは圧縮変形することが出来る。このコイルバネの圧縮変形は、ツルに戻し方向のバネ力として作用する。以下、本発明に係る実施例を図面に基づいて詳細に説明する。
【００１３】
【実施例】
図１は本発明のツル継手構造を備えたツルを示し、ツル１は継手部２を介して折畳み出来るようにフロント部のヨロイ８に取付けられ、Ａはメガネを掛ける場合の開き状態、Ｂはさらに外方向へ押し開いた状態を表わしている。このように、該ツル１は、開いたＡの状態からさらに外方向へ押し開くことが出来る。
【００１４】
Ａの状態ではツル１はそのまま静止しているが、Ｂの状態ではバネ力が作用してＡの状態に戻ることが出来る。したがって、ツル１をＡの状態から外方向へ多少押し開いた状態でメガネを掛けるならば、ツル１は顔の両側を適度な力で押圧して安定することが出来、ツル１を無理に撓み変形させることによって発生するバネの戻し押圧力でないために、痛みを感じることも無い。バネ蝶番と称される継手を用いてツルを連結する利点はここにある。
【００１５】
図２は、本発明に係るツル連結構造を示す具体例である。同図の３は内部材、４は外部材、１はツルを表わし、ツル１は内部材３と外部材４に挟まれて取付けられ、しかも、内部材３と外部材４に挟まれた状態で長手方向へ摺動することが出来る。
【００１６】
図３には内部材３を示しているように、一定厚の板材で両端部には穴５、５を貫通し、一方端には継手片６を形成している。そして、該継手片６には穴７が貫通し、前記図１に示すヨロイ８の継手片と軸ネジを介して連結される。すなわち、ヨロイ先端に設けている継手片と上記内部材３の継手片６とが互いに組み合わされた状態で軸ネジが挿通して連結され、継手部２と成る。
【００１７】
図４は外部材４を示しており、該外部材には内面９の両サイドにはスペーサー１０、１０が突出している。そして、このスペーサー１０、１０の中心にはネジ穴１１、１１を設けている。該スペーサー１０，１０は外部材４と一体成形することあり、又外部材４にスペーサー１０，１０をロウ付けすることも出来る。
【００１８】
一方、図５はツル１の連結側を示しているが、一定厚さと一定巾を有す部材であり、長穴１２と長穴１３を貫通して設けている。一方の長穴１２は短く、外部材４の内面９から突出するスペーサー１０が嵌り、他方の長穴１３は長くなっていて、スペーサー１０とコイルスプリングが嵌入することが出来る。そして、このツルの両面には溝１４、１４…を設けている。
【００１９】
前記図２はこれら内部材３と外部材４の間にツル１を挟み込んで組み付けた場合であり、内部材３と外部材４は２個のスペーサー１０、１０によって一定間隔を保った上で互いに平行となり、そして２個のスペーサー１０、１０はツル１に設けた長穴１２、１３に嵌っていることで、ツル１は両スペーサー１０、１０をガイドとして長手方向に摺動することが出来る。
【００２０】
そして、上記ツル１の両面に形成した溝１４、１４・・にベアリングボール１５、１５…を嵌め、４個のベアリングボール１５、１５…は内部材３と外部材４との間の空間でツル１を正しく支持し、ツル１はベアリングボール１５、１５の転がりによって長手方向へ摺動することが可能となる。すなわち、ツル１は内部材３と外部材４と面接触することなく、４個のベアリングボール１５、１５…を介して支持されることで、滑らかな摺動を行うことが可能となる。
【００２１】
ツルの長穴１３にはコイルバネ１６が取付けられ、該コイルバネ１６の一方端は、長穴１３の端面１７に当り、コイルバネ１６の他端は長穴１３に嵌っているスペーサー１０に当っている。そこで、ツル１が後方（ツル先端側）へ摺動するならば、コイルバネ１６は圧縮変形し、元の状態に戻るようなバネ力を発生する。
【００２２】
ところで、ツル端は図１のＡの状態に開いたところでヨロイ端に当接し、このＡの状態から外方向へ押し開くならば、ツル端はヨロイ端に当っていることで後方へ押されてコイルバネ１６は圧縮される。この反力は継手部２を中心としたモーメントを発生して、ツルをＡの状態に戻すように働く。
【００２３】
ここで、内部材３及び外部材４が共に平坦な線材で構成されるならば、内部材３と外部材４間に挟まれるツル１は表面化し、ツル１と内外部材３、４間の隙間からコイルバネ１６も見えることになる。そこで、外部材４の断面をコ型とし、又は内部材３の断面をコ型としてツル１及びコイルバネ１６を被覆することも出来る。
【００２４】
さらに、外部材４の外表面には種々の装飾を施すことも可能であり、この外部材４は交換することも簡単である。すなわち、内部材３及び外部材４に挟まれたツル１の連結構造はネジ止めした簡単な構造であって、ネジを緩めることで分解することが自由に行ない得る。そして、別の装飾を施した外部材４を組み付けることが簡単に出来る。勿論、外部材４に限定せず内部材３の表面にも装飾を施すことは可能である。
【００２５】
図６は本発明に係るツル連結構造を示す他の実施例を示している。基本的な構造は前記図２に示したツル連結構造と同じであるが、内部材１８は所定の曲率で湾曲し、同じく外部材１９も所定の曲率で湾曲している。そして湾曲内部材１８と湾曲外部材１９の間に湾曲ツル２０を挟み込んで組み付けた場合であり、内部材１８と外部材１９は２個のスペーサー１０、１０によって一定間隔を保った上で互いに平行となり、そして２個のスペーサー１０、１０はツル２０に設けた長穴１２、１３に嵌っていることで、ツル２０は両スペーサー１０、１０をガイドとして長手方向に摺動することが出来る。
【００２６】
そして、上記ツル２０の両面に形成した溝１４、１４・・にベアリングボール１５、１５…を嵌め、４個のベアリングボール１５、１５…は内部材１８と外部材１９との間の空間でツル２０を正しく支持し、ツル２０はベアリングボール１５、１５の転がりによって長手方向へ湾曲摺動することが可能となる。すなわち、ツル２０は内部材１８と外部材１９と面接触することなく、４個のベアリングボール１５、１５…を介して支持されることで、滑らかな摺動を行うことが可能となる。この点は、図２にて説明した前記実施例の場合と同じである。
【００２７】
以上述べたように、本発明のツル連結構造は内部材と外部材を所定の間隔で平行に設け、この内外部材によってツルを摺動可能に挟持すると共に、コイルバネを取付けたものであり、次のような効果を得ることが出来る。
【００２８】
【発明の効果】
本発明のツル連結構造は、内部材と外部材の間にツルを挟みこんで摺動可能に取付けて構成している簡単な構造である。従って、ネジを緩めることで内外部材を分解できるためにツルを取外すことが出来、故障した場合であっても簡単に修理可能である。そして、ツルは内外部材との間でベアリングボールを介して摺動することが出来る為に、ツルの摺動は滑らかである。
【００２９】
すなわち、従来の連結構造のような面接触による摺動では無いために、擦れ合いによる摩耗は無く、常に安定した開閉操作を行い得る。そして、外部材は色々な装飾を施すことが可能であり、この外部材は連結構造を分解することで別の装飾を施したものと手軽に交換することが出来る。
【図面の簡単な説明】
【図１】ツルを押し開いた状態。
【図２】本発明のツル連結構造を示す実施例。
【図３】内部材の実施例。
【図４】外部材の具体例。
【図５】ツル連結部側の具体例。
【図６】湾曲した内外部材によって構成したツル連結構造。
【図７】従来のツル連結構造。
【符号の説明】
１  ツル
２  継手部
３  内部材
４  外部材
５  穴
６  継手片
７  穴
８  ヨロイ
９  内面
１０  スペーサー
１１  ネジ穴
１２  長穴
１３  長穴
１４  溝
１５  ベアリングボール
１６  コイルバネ
１７  端面
１８  内部材
１９  外部材
２０  ツル
【図１】
2004354470.tif 000003
【図２】
2004354470.tif 000004
【図３】
2004354470.tif 000005
【図４】
2004354470.tif 000006
【図５】
2004354470.tif 000007
【図６】
2004354470.tif 000008
【図７】
2004354470.tif 000009